(57)【要約】【課題】本発明は、各RATごとに独立した制御およびデータチャネルを必要とすることなく、異なるRATにわたりキャリアアグリゲーションを容易にするための技法を提供する。【解決手段】様々な無線アクセス技術にわたりキャリアアグリゲーションを実行するためのシステム、方法、装置、およびコンピュータプログラム製品が開示される。たとえば、場合によっては、ワイヤレス通信の方法は、第1のワイヤレス通信デバイスを使用して、制御情報を第1の無線アクセス技術(RAT)を介して第2のワイヤレス通信デバイスに送信するステップであって、制御情報は第2のRATの制御情報を含むステップと、第1のワイヤレス通信デバイスにおいて、第1のRATを介して第2のワイヤレス通信デバイスから肯定応答(ACK)または否定応答(NACK)を受信するステップであって、ACKまたはNACKは、第2のRATを介して実施される第2のワイヤレス通信デバイスの通信に関連するステップとを含む。【選択図】図４
2019083574.tif 000002
【特許請求の範囲】
【請求項１】
ワイヤレス通信の方法であって、
第1のワイヤレス通信デバイスを使用して、制御情報を第1の無線アクセス技術(RAT)を介して第2のワイヤレス通信デバイスに送信するステップであって、前記制御情報は前記第1のRATおよび第2のRATの制御情報を含み、前記第2のRATのタイミング構造は前記第1のRATのタイミング構造とそろえられる、ステップと、
前記第1のワイヤレス通信デバイスにおいて、前記第1のRATを介して前記第2のワイヤレス通信デバイスから肯定応答(ACK)または否定応答(NACK)を受信するステップであって、前記ACKまたはNACKは、前記第2のRATを介して実施される前記第2のワイヤレス通信デバイスの通信に関連する、ステップと
を備える方法。
【請求項２】
前記第1のワイヤレス通信デバイスを使用して、第1のデータを前記第1のRATを介して前記第2のワイヤレス通信デバイスに送信するステップと、
前記第1のワイヤレス通信デバイスを使用して、第2のデータを前記第2のRATを介して前記第2のワイヤレス通信デバイスに送信するステップと
をさらに備える、請求項1に記載の方法。
【請求項３】
前記第1のRATを介して前記第2のワイヤレス通信デバイスから前記NACKが受信される場合、前記第1のワイヤレス通信デバイスを使用して、前記第2のデータを前記第2のRATを介して前記第2のワイヤレス通信デバイスに再送信するステップをさらに備える、請求項2に記載の方法。
【請求項４】
前記第1のRATは、ロングタームエボリューション(LTE)RATを含む、請求項2に記載の方法。
【請求項５】
前記制御情報は、第1の送信時間間隔(TTI)中にLTE RATを介して前記第2のワイヤレス通信デバイスに送信され、
前記第2のデータは、前記第1のTTI中に前記第2のRATを介して前記第2のワイヤレス通信デバイスに送信され、
前記ACKまたは前記NACKは、前記第1のRATのタイミング構造に従って第2のTTI中に前記第2のワイヤレス通信デバイスから受信される、請求項4に記載の方法。
【請求項６】
前記第1のワイヤレス通信デバイスは基地局であり、前記第2のワイヤレス通信デバイスはユーザ機器であり、前記第2のRATを介して実施される前記ユーザ機器の通信は、前記基地局からダウンリンクデータを受信するステップを含む、請求項1に記載の方法。
【請求項７】
前記第1のワイヤレス通信デバイスは、前記第2のRATに関連付けられているアンテナを含む、請求項1に記載の方法。
【請求項８】
前記第1のワイヤレス通信デバイスは、前記第1のワイヤレス通信デバイスからリモートに位置する前記第2のRATに関連付けられているアンテナと通信している、請求項1に記載の方法。
【請求項９】
ワイヤレス通信の方法であって、
第1のワイヤレス通信デバイスにおいて、制御情報を第1の無線アクセス技術(RAT)を介して第2のワイヤレス通信デバイスから受信するステップであって、前記制御情報は前記第1のRATおよび第2のRATの制御情報を含み、前記第2のRATのタイミング構造は前記第1のRATのタイミング構造とそろえられる、ステップと、
前記第1のワイヤレス通信デバイスを使用して、第1のデータを前記第2のRATを介して前記第2のワイヤレス通信デバイスに送信するステップと
を備える方法。
【請求項１０】
前記第1のワイヤレス通信デバイスにおいて、前記第1のRATを介して前記第2のワイヤレス通信デバイスから肯定応答(ACK)または否定応答(NACK)を受信するステップであって、前記ACKまたはNACKは、前記第1のデータが前記第2のRATを介して前記第2のワイヤレス通信デバイスによって受信されたかどうかを示す、ステップをさらに備える、請求項9に記載の方法。
【請求項１１】
前記第1のRATを介して前記第2のワイヤレス通信デバイスから前記NACKが受信される場合、前記第1のワイヤレス通信デバイスを使用して、前記第1のデータを前記第2のRATを介して前記第2のワイヤレス通信デバイスに再送信するステップをさらに備える、請求項10に記載の方法。
【請求項１２】
前記第1のワイヤレス通信デバイスを使用して、第2のデータを前記第1のRATを介して前記第2のワイヤレス通信デバイスに送信するステップをさらに備える、請求項11に記載の方法。
【請求項１３】
前記第1のRATはロングタームエボリューション(LTE)RATを含み、
前記制御情報は、第1の送信時間間隔(TTI)中にLTE RATを介して前記第1のワイヤレス通信デバイスにおいて受信され、
前記第1のデータは、前記第1のRATのタイミング構造に従って第2のTTI中に前記第2のRATを介して前記第2のワイヤレス通信デバイスに送信される、請求項9に記載の方法。
【請求項１４】
前記第1のワイヤレス通信デバイスはユーザ機器であり、前記第2のワイヤレス通信デバイスは基地局であり、前記第1のデータを前記第2のRATを介して送信する前記ステップは、アップリンクデータを前記基地局に送信するステップを含む、請求項9に記載の方法。
【請求項１５】
前記第2のRATを介して前記第2のワイヤレス通信デバイスに前記第1のデータを送信する前記ステップは、前記第1のデータを前記第2のRATに関連付けられている前記第2のワイヤレス通信デバイスのアンテナに送信するステップを含む、請求項9に記載の方法。
【請求項１６】
前記第2のRATを介して前記第2のワイヤレス通信デバイスに前記第1のデータを送信する前記ステップは、前記第1のデータを前記第2のワイヤレス通信デバイスからリモートに位置する前記第2のRATに関連付けられているアンテナに送信するステップを含む、請求項9に記載の方法。
【請求項１７】
制御情報を生成するように構成されたマルチ無線アクセス技術(マルチRAT)モジュールと、
前記マルチRATモジュールと通信し、前記生成された制御情報を第1の無線アクセス技術(RAT)を介して第2のワイヤレス通信デバイスに送信するように構成された送信機であって、前記送信される制御情報は前記第1のRATおよび第2のRATの制御情報を含み、前記第2のRATのタイミング構造は前記第1のRATのタイミング構造とそろえられる、送信機と、
前記マルチRATモジュールと通信し、前記第2のワイヤレス通信デバイスから前記第1のRATを介して肯定応答(ACK)または否定応答(NACK)を受信するように構成された受信機であって、前記ACKまたはNACKは、前記第2のRATを介して実施される前記第2のワイヤレス通信デバイスの通信に関連する、受信機と
を備えるワイヤレス通信デバイス。
【請求項１８】
前記送信機は、第1の送信機を備え、第1のデータを前記第1のRATを介して前記第2のワイヤレス通信デバイスに送信するようにさらに構成され、
前記ワイヤレス通信デバイスは、前記マルチRATモジュールと通信し、第2のデータを前記第2のRATを介して前記第2のワイヤレス通信デバイスに送信するように構成された第2の送信機をさらに備える、請求項17に記載のデバイス。
【請求項１９】
前記第2の送信機は、前記受信機が前記第1のRATを介して前記第2のワイヤレス通信デバイスから前記NACKを受信する場合、前記第2のデータを前記第2のRATを介して前記第2のワイヤレス通信デバイスに再送信するようにさらに構成される、請求項18に記載のデバイス。
【請求項２０】
前記第1のRATはロングタームエボリューション(LTE)RATを含み、
前記第1の送信機は、前記制御情報を第1の送信時間間隔(TTI)中に前記LTE RATを介して前記第2のワイヤレス通信デバイスに送信するように構成され、
前記第2の送信機は、前記第2のデータを前記第1のTTI中に前記第2のRATを介して前記第2のワイヤレス通信デバイスに送信するように構成され、
前記受信機は、前記第1のRATのタイミング構造に従って第2のTTI中に前記ACKまたは前記NACKを前記第2のワイヤレス通信デバイスから受信するように構成される、請求項18に記載のデバイス。
【請求項２１】
前記ワイヤレス通信デバイスは基地局であり、前記第2のワイヤレス通信デバイスはユーザ機器である、請求項17に記載のデバイス。
【請求項２２】
前記第2のRATに関連付けられているアンテナをさらに備える、請求項17に記載のデバイス。
【請求項２３】
前記マルチRATモジュールは、前記ワイヤレス通信デバイスからリモートに位置する前記第2のRATに関連付けられているアンテナと通信している、請求項17に記載のデバイス。
【請求項２４】
制御情報を第1の無線アクセス技術(RAT)を介して第2のワイヤレス通信デバイスから受信するように構成された受信機であって、前記制御情報は前記第1のRATおよび第2のRATの制御情報を含み、前記第2のRATのタイミング構造は前記第1のRATのタイミング構造とそろえられる、受信機と、
第1のデータを前記第2のRATを介して前記第2のワイヤレス通信デバイスに送信するように構成された送信機とを備えるワイヤレス通信デバイス。
【請求項２５】
前記受信機は、前記第1のRATを介して前記第2のワイヤレス通信デバイスから肯定応答(ACK)または否定応答(NACK)を受信するようにさらに構成され、前記ACKまたはNACKは、前記第1のデータが前記第2のRATを介して前記第2のワイヤレス通信デバイスによって受信されたかどうかを示す、請求項24に記載のデバイス。
【請求項２６】
前記送信機は、前記第1のRATを介して前記第2のワイヤレス通信デバイスから前記NACKが受信される場合、前記第1のデータを前記第2のRATを介して前記第2のワイヤレス通信デバイスに再送信するようにさらに構成される、請求項25に記載のデバイス。
【請求項２７】
前記ワイヤレス通信デバイスはユーザ機器であり、前記第2のワイヤレス通信デバイスは基地局であり、前記ユーザ機器は、
第2のデータを前記第1のRATを介して前記基地局に送信するように構成された第2の送信機をさらに備える、請求項24に記載のデバイス。
【請求項２８】
前記第1のRATはロングタームエボリューション(LTE)RATを含み、
前記受信機は、第1の送信時間間隔(TTI)中にLTE RATを介して前記制御情報を受信するように構成され、
前記送信機は、前記第1のRATのタイミング構造に従って第2のTTI中に前記第2のRATを介して前記第1のデータを前記第2のワイヤレス通信デバイスに送信するように構成される、請求項24に記載のデバイス。
【請求項２９】
前記送信機は、前記第1のデータを前記第2のRATに関連付けられている前記第2のワイヤレス通信デバイスのアンテナに送信するように構成される、請求項24に記載のデバイス。
【請求項３０】
前記送信機は、前記第1のデータを前記第2のワイヤレス通信デバイスからリモートに位置する前記第2のRATに関連付けられているアンテナに送信するように構成される、請求項24に記載のデバイス。
【発明の詳細な説明】
【技術分野】
【０００１】
関連出願の相互参照
本出願は、参照により全体があらゆる適用可能な目的のために記載されているかのように本明細書に援用される、2016年3月11日出願の米国特許出願第15/068,374号の優先権、および2015年3月14日出願の米国仮特許出願第62/133,367号の利益を主張するものである。
【０００２】
本出願は、ワイヤレス通信システムに関し、より詳細には、異なる無線アクセス技術にわたるキャリアアグリゲーションに関する。
【背景技術】
【０００３】
ワイヤレスデータサービスの需要は、飛躍的に増え続けている。データの需要が高まることで、さらに高速のデータレートをモバイルデバイスにもたらすことができる技術には、引き続き関心が高まっている。より高いデータレートをもたらす1つの方法は、ワイヤレス通信システムに使用可能なスペクトル帯域幅を増やすことである。
【０００４】
さらなる帯域幅を使用する傾向を反映して、第3世代パートナーシッププロジェクト(3GPP)のロングタームエボリューション(LTE)ネットワークの現行バージョンは、通信に使用可能な最大100メガヘルツ(MHz)を有する。さらに、第5世代(または5G)ネットワークのような、将来のネットワークは、データサービスの将来の需要を満たすことを目指して数百MHzまたはそれ以上を使用することが可能である。さらに、ダウンリンクおよびアップリンクのスループットを高めるために、キャリアアグリゲーションが使用されてもよい。キャリアアグリゲーションにおいて、複数のキャリアは、帯域幅を増大させ(したがって、スループットを高める)ために、物理レイヤ上でアグリゲートされてもよい。
【０００５】
より高いデータレートをもたらすためのもう1つの手法は、デュアルコネクティビティである。デュアルコネクティビティにおいて、複数の基地局またはeNodeBが、ユーザとの間でデータを配信/受信するために使用される。デュアルコネクティビティにより、各基地局は、独立したダウンリンク/アップリンク制御およびデータチャネルを確立する。また、ベアラおよび/またはパケットデータコンバージェンスプロトコル(PDCP)は、複数の基地局にわたり分割されてもよい。
【０００６】
また、ワイヤレス通信システムは、複数の異なる無線アクセス技術(RAT)を使用して、データ通信をユーザに提供することができる。たとえば、LTE、LTEアドバンスト(LTE-A)、LTE unlicensed(LTE-U)、ユニバーサル地上無線アクセス(UTRA)、cdma2000、モバイル通信用グローバルシステム(GSM(登録商標))、発展型UTRA(E-UTRA)、ウルトラモバイルブロードバンド(UMB)、IEEE802.11(Wi-Fi)、IEEE802.16(WiMAX)、IEEE802.20、Flash-OFDMA、802.15.1(Bluetooth(登録商標))、802.15.4(ZigBee)、および現在開発されているか将来開発されるであろうその他のRATの様々な組合せが、データレートを高める目的で使用されてもよい。しかし、デュアルコネクティビティと同様に、各々の異なるRATは、独立したダウンリンク/アップリンク制御およびデータチャネルを必要とする可能性がある。
【発明の概要】
【発明が解決しようとする課題】
【０００７】
したがって、各RATごとに独立した制御およびデータチャネルを必要とすることなく、異なるRATにわたりキャリアアグリゲーションを容易にするための技法が依然として必要とされている。
【課題を解決するための手段】
【０００８】
本開示の1つの態様において、第1のワイヤレス通信デバイスを使用して、制御情報を第1の無線アクセス技術(RAT)を介して第2のワイヤレス通信デバイスに送信するステップであって、制御情報は第1のRATおよび第2のRATの制御情報を含み、第2のRATのタイミング構造は第1のRATのタイミング構造とそろえられるステップと、第1のワイヤレス通信デバイスにおいて、第1のRATを介して第2のワイヤレス通信デバイスから肯定応答(ACK)または否定応答(NACK)を受信するステップであって、ACKまたはNACKは、第2のRATを介して実施される第2のワイヤレス通信デバイスの通信に関連する、ステップとを含むワイヤレス通信の方法が提供される。
【０００９】
本開示のさらなる態様において、第1のワイヤレス通信デバイスにおいて、制御情報を第1の無線アクセス技術(RAT)を介して第2のワイヤレス通信デバイスから受信するステップであって、制御情報は第1のRATおよび第2のRATの制御情報を含み、第2のRATのタイミング構造は第1のRATのタイミング構造とそろえられるステップと、第1のワイヤレス通信デバイスを使用して、第1のデータを第2のRATを介して第2のワイヤレス通信デバイスに送信するステップとを含むワイヤレス通信の方法が提供される。
【００１０】
本開示のさらなる態様において、制御情報を生成するように構成されたマルチ無線アクセス技術(マルチRAT)モジュールと、マルチRATモジュールと通信し、生成された制御情報を第1の無線アクセス技術(RAT)を介して第2のワイヤレス通信デバイスに送信するように構成された送信機であって、送信される制御情報は第1のRATおよび第2のRATの制御情報を含み、第2のRATのタイミング構造は第1のRATのタイミング構造とそろえられる、送信機と、マルチRATモジュールと通信し、第2のワイヤレス通信デバイスから第1のRATを介して肯定応答(ACK)または否定応答(NACK)を受信するように構成された受信機であって、ACKまたはNACKは、第2のRATを介して実施される第2のワイヤレス通信デバイスの通信に関連する、受信機とを含むワイヤレス通信デバイスが提供される。
【００１１】
本開示のさらなる態様において、制御情報を第1の無線アクセス技術(RAT)を介して第2のワイヤレス通信デバイスから受信するように構成された受信機であって、制御情報は第1のRATおよび第2のRATの制御情報を含み、第2のRATのタイミング構造は第1のRATのタイミング構造とそろえられる、受信機と、第1のデータを第2のRATを介して第2のワイヤレス通信デバイスに送信するように構成された送信機とを含むワイヤレス通信デバイスが提供される。
【００１２】
本開示のさらなる態様において、制御情報を第1の無線アクセス技術(RAT)を介して第2のワイヤレス通信デバイスに送信するための手段であって、制御情報は第1のRATおよび第2のRATの制御情報を含み、第2のRATのタイミング構造は第1のRATのタイミング構造とそろえられる、手段と、第1のRATを介して第2のワイヤレス通信デバイスから肯定応答(ACK)または否定応答(NACK)を受信するための手段であって、ACKまたはNACKは、第2のRATを介して実施される第2のワイヤレス通信デバイスの通信に関連する、手段とを含むワイヤレス通信デバイスが提供される。
【００１３】
本開示のさらなる態様において、制御情報を第1の無線アクセス技術(RAT)を介して第2のワイヤレス通信デバイスから受信するための手段であって、制御情報は第1のRATおよび第2のRATの制御情報を含み、第2のRATのタイミング構造は第1のRATのタイミング構造とそろえられる、手段と、第1のデータを第2のRATを介して第2のワイヤレス通信デバイスに送信するための手段とを含むワイヤレス通信デバイスが提供される。
【００１４】
本開示のさらなる態様において、コンピュータに、第1のワイヤレス通信デバイスにおいて、制御情報を第1の無線アクセス技術(RAT)を介して第2のワイヤレス通信デバイスに送信させるためのコードであって、制御情報は第1のRATおよび第2のRATの制御情報を含み、第2のRATのタイミング構造は第1のRATのタイミング構造とそろえられる、コードと、コンピュータに、第1のRATを介して第2のワイヤレス通信デバイスから肯定応答(ACK)または否定応答(NACK)を受信させるためのコードであって、ACKまたはNACKは、第2のRATを介して実施される第2のワイヤレス通信デバイスの通信に関連する、コードとを含む、プログラムコードが記録されているコンピュータ可読媒体が提供される。
【００１５】
本開示のさらなる態様において、コンピュータに、第1のワイヤレス通信デバイスにおいて、制御情報を第1の無線アクセス技術(RAT)を介して第2のワイヤレス通信デバイスから受信させるためのコードであって、制御情報は第1のRATおよび第2のRATの制御情報を含み、第2のRATのタイミング構造は第1のRATのタイミング構造とそろえられる、コードと、コンピュータに、第1のデータを第2のRATを介して第2のワイヤレス通信デバイスに送信させるためのコードとを含む、プログラムコードが記録されているコンピュータ可読媒体が提供される。
【００１６】
本開示の追加の態様、特徴、および利点は、以下の詳細な説明から明らかとなろう。
【図面の簡単な説明】
【００１７】
【図１】本開示の様々な態様によるワイヤレス通信ネットワークを示す図である。
【図２】本開示の様々な態様による第1および第2の無線アクセス技術コンポーネントに関連付けられているワイヤレス通信デバイスを示す図である。
【図３】本開示の様々な態様によるユーザ機器を示す図である。
【図４】本開示の様々な態様による第1の無線アクセス技術コンポーネントと、第2の無線アクセス技術コンポーネントと、ユーザ機器との間のフレームフォーマットおよび対応する通信送信を示す図である。
【図５】本開示の様々な態様による第1の無線アクセス技術コンポーネントと、第2の無線アクセス技術コンポーネントと、ユーザ機器との間のフレームフォーマットおよび対応する通信送信を示す図である。
【図６】本開示の様々な態様による第1の無線アクセス技術コンポーネントと、第2の無線アクセス技術コンポーネントと、ユーザ機器との間のフレームフォーマットおよび対応する通信送信を示す図である。
【図７】本開示の様々な態様による第1および第2の無線アクセス技術コンポーネントを有する基地局とユーザ機器との間の送信を示すプロトコル図である。
【図８】本開示の様々な態様による第1の無線アクセス技術コンポーネントと、第2の無線アクセス技術コンポーネントと、ユーザ機器との間のフレームフォーマットおよび対応する通信送信を示す図である。
【図９】本開示の様々な態様による第1および第2の無線アクセス技術コンポーネントを有する基地局とユーザ機器との間の送信を示すプロトコル図である。
【発明を実施するための形態】
【００１８】
添付の図面と併せて後段に示される詳細な説明は、様々な構成を説明することが意図されており、本明細書において説明される概念が実施され得る構成のみを表すことを意図されてはいない。詳細な説明は、様々な概念の十分な理解をもたらすことを目的として特定の詳細を含む。しかし、それらの概念が、それらの具体的な詳細を伴うことなく実施され得ることは、当業者には明らかとなろう。場合によっては、よく知られた構造およびコンポーネントは、そのような概念を不明瞭にすることを避けるため、ブロック図の形態で示される。
【００１９】
本明細書において説明される技法は、相互に関わり合う既存のRATおよび将来開発されるRATを含み、様々な無線アクセス技術(RAT)を含む、CDMA、TDMA、FDMA、OFDMA、SC-FDMA、およびその他のネットワークのような、様々なワイヤレス通信ネットワークに使用されてもよい。「ネットワーク」および「システム」という用語は、互換的に使用されることが多い。CDMAネットワークは、ユニバーサル地上無線アクセス(UTRA)、cdma2000などのような、無線技術を実施することができる。UTRAは、広帯域CDMA(WCDMA(登録商標))、およびCDMAのその他の変形態を含む。cdma2000は、IS-2000、IS-95、およびIS-856標準をカバーする。TDMAネットワークは、モバイル通信用グローバルシステム(GSM(登録商標))のような無線技術を実施することができる。OFDMAネットワークは、発展型UTRA(E-UTRA)、ウルトラモバイルブロードバンド(UMB)、IEEE802.11(WiFi)、IEEE802.16(WiMAX)、IEEE802.20、Flash-OFDMAなどのような無線技術を実施することができる。UTRAおよびE-UTRAは、ユニバーサル移動体通信システム(UMTS)の一部である。3GPPロングタームエボリューション(LTE)およびLTEアドバンスト(LTE-A)は、E-UTRAを使用するUMTSの新リリースである。UTRA、E-UTRA、UMTS、LTE、LTE-A、およびGSM(登録商標)については、「第3世代パートナーシッププロジェクト」(3GPP)と称する機関からの文書において説明されている。CDMA2000およびUMBについては、「第3世代パートナーシッププロジェクト2」(3GPP2)と称する機関からの文書において説明されている。本明細書において説明される技法は、上記のワイヤレスネットワークおよび無線技術、ならびに次世代(たとえば、第5世代(5G))ネットワークのようなその他のワイヤレスネットワークおよび無線技術のために使用されてもよい。
【００２０】
本開示の態様は、制御シグナリング、スケジューリング、ACK/NACKなどにシングルRATを使用するマルチRATにわたるキャリアアグリゲーションを容易にする。一部の実施形態において、ダウンリンク、マルチRATキャリアアグリゲーション、および/またはアップリンク、マルチRATキャリアアグリゲーションが、サブフレームおよび/またはスロットレベルで実行されてもよい。たとえば、追加の非LTE RATがシステムに組み入れられているLTEシステムのコンテキストにおいて、LTEダウンリンクおよび/またはアップリンク制御チャネルは、LTE RATと非LTE RATの両方について(たとえば、物理ダウンリンク制御チャネル(PDCCH)、拡張物理ダウンリンク制御チャネル(ePDCCH)、ACK/NACKなどを使用して)トラフィックをスケジュールおよび/または肯定応答する(もしくは肯定応答しない)ために使用されてもよい。この点において、非LTE RATのダウンリンク送信時間間隔(TTI)は、LTEダウンリンクTTIに関連して定義されてもよい。たとえば、非LTE RATのダウンリンクTTIは、LTEダウンリンクTTI(たとえば、1ms)と同じか、または(たとえば1ms LTEダウンリンクTTIの500μsスロットを使用して)LTEダウンリンクTTIの分数または一部と同じになるように定義されてもよい。同様に、非LTE RATのアップリンク送信時間間隔(TTI)は、LTEアップリンクTTIに関連して定義されてもよい。たとえば、非LTE RATのアップリンクTTIは、LTEアップリンクTTI(たとえば、1ms)と同じか、または(たとえば1ms LTEアップリンクTTIの500μsスロットを使用して)LTEアップリンクTTIの分数または一部と同じになるように定義されてもよい。
【００２１】
マルチRATに関連付けられている処理時間(たとえば、HARQ待ち時間)は、シングルRATがマルチRATについて制御シグナリング、スケジューリング、ACK/NACKなどを実行できるように調整されてもよい。この点に関して、特定のRATの処理時間は、マルチRATキャリアアグリゲーション手法への統合を容易にするために、その通常および/または使用可能な時間から延長/短縮されてもよい。たとえば、追加の非LTE RATがシステムに組み入れられており、非LTE RATがLTE RATの処理時間(たとえば、8ms HARQ待ち時間)よりも短い処理時間を有するLTEシステムのコンテキストにおいて、RATの1つ(すなわち、LTE RATまたは非LTE RATのいずれか)が使用されて両方のRAT(すなわち、LTE RATと非LTE RAT)の制御シグナリング、スケジューリング、ACK/NACKなどを実行できるようにするために、LTE RATの処理時間が低減されてもよい、非LTE RATの処理時間が増大されてもよい、および/またはその組合せであってもよい。
【００２２】
したがって、本開示の技法は、新規および/または既存のRATがワイヤレス通信システムに組み入れられる際に、RATごとに独立したダウンリンクおよびアップリンク制御ならびにデータチャネルを必要とするデュアルコネクティビティの手法に依存することなく、データスループットの増大が達成され得るように、マルチRATにわたるキャリアアグリゲーションを容易にする。代わりに、シングルRATは、本開示の技法を実施することによって、マルチRATの制御シグナリング、スケジューリング、ACK/NACKなどに使用されてもよい。
【００２３】
図1は、本開示の様々な態様によるワイヤレス通信ネットワーク100を示す図である。ワイヤレス通信ネットワーク100は、複数のUE102、および複数の基地局104を含むことができる。基地局104は、発展型ノードB(eNodeB)を含むことができる。基地局はまた、トランシーバ基地局、ノードB、またはアクセスポイントとして示されてもよい。基地局104は、UE102と通信する局であってもよく、基地局、ノードB、アクセスポイントなどとして示されてもよい。
【００２４】
基地局104は、通信信号106によって示されるようにUE102と通信する。UE102は、アップリンクおよびダウンリンクを介して基地局104と通信することができる。ダウンリンク(または順方向リンク)は、基地局104からUE102までの通信リンクを示す。アップリンク(または逆方向リンク)は、UE102から基地局104までの通信リンクを示す。基地局104はまた、通信信号108によって示されるように、有線および/またはワイヤレス接続を介して、直接または間接的に、相互に通信してもよい。
【００２５】
UE102は、示されているように、ワイヤレスネットワーク100全体にわたり分散されてもよく、各UE102は、固定またはモバイルであってもよい。UE102はまた、端末、移動局、サブスクライバユニットなどと称されてもよい。UE102は、セルラー電話、スマートフォン、携帯情報端末、ワイヤレスモデム、ラップトップコンピュータ、タブレットコンピュータなどであってもよい。ワイヤレス通信ネットワーク100は、本開示の様々な態様が適用するネットワークの1つの例である。
【００２６】
各基地局104は、特定の地理的エリアに通信カバレージを提供することができる。3GPPにおいて、「セル」という用語は、用語が使用されるコンテキストに応じて、基地局および/またはカバレージエリアにサービスを提供する基地局サブシステムのこの特定の地理的カバレージエリアを示すことができる。この点において、基地局104は、マクロセル、ピコセル、フェムトセル、および/またはその他のタイプのセルに通信カバレージを提供することができる。マクロセルは一般に、比較的大きい地理的エリア(たとえば、半径数キロメートル)をカバーし、ネットワークプロバイダのサービスに加入しているUEによる無制限のアクセスを可能にすることができる。ピコセルは一般に、比較的小さい地理的エリアをカバーし、ネットワークプロバイダのサービスに加入しているUEによる無制限のアクセスを可能にすることができる。フェムトセルはまた一般に、比較的小さい地理的エリア(たとえば、自宅)をカバーし、無制限のアクセスに加えて、フェムトセルとの関連を有するUE(たとえば、限定加入者グループ(CSG)内のUE、自宅のユーザのUEなど)による限定的なアクセスを提供することができる。マクロセルの基地局は、マクロ基地局と称されてもよい。ピコセルの基地局は、ピコ基地局と称されてもよい。そして、フェムトセルの基地局は、フェムト基地局またはホーム基地局と称されてもよい。図1に示される例において、基地局104a、104b、および104cはそれぞれ、カバレージエリア110a、110b、および110cのマクロ基地局の例である。基地局104dおよび104eはそれぞれ、カバレージエリア110dおよび110eのピコおよび/またはフェムト基地局の例である。基地局104は、1つまたは複数の(たとえば、2、3、4などの)セルをサポートすることができる。
【００２７】
ワイヤレスネットワーク100はまた、中継局を含むことができる。中継局は、上流の局(たとえば、基地局、UEなど)からデータおよび/またはその他の情報の送信を受信して、下流の局(たとえば、別のUE、別の基地局など)にデータおよび/またはその他の情報の送信を送る局である。中継局はまた、その他のUEへの送信を中継するUEであってもよい。中継局はまた、中継基地局、中継UE、リレーなどと称されてもよい。
【００２８】
ワイヤレスネットワーク100は、同期または非同期の動作をサポートすることができる。同期の動作の場合、基地局104は、同じフレームタイミングを有し、異なる基地局104からの送信は、時間単位で概ねそろえられてもよい。非同期の動作の場合、基地局104は、異なるフレームタイミングを有し、異なる基地局104からの送信は、時間単位でそろえられないことがある。
【００２９】
一部の実施態様において、ワイヤレスネットワーク100は、ダウンリンク上で直交周波数分割多重(OFDM)、およびアップリンク上でシングルキャリア周波数分割多重(SC-FDM)を使用する。OFDMおよびSC-FDMは、システム帯域幅を、トーン、ビンなどとも一般に称される複数の(K)直交サブキャリアに分割する。各サブキャリアは、データで変調されてもよい。一般に、変調シンボルは、OFDMによる周波数領域およびSC-FDMによる時間領域において送信される。隣接するサブキャリアの間のスペーシングは、固定されてもよく、サブキャリアの合計数(K)は、システム帯域幅に応じてもよい。たとえば、Kは、1.4、3、5、10、15、または20メガヘルツ(MHz)の対応するシステム帯域幅に対して、それぞれ72、180、300、600、900、および1200と等しくてもよい。システム帯域幅はまた、サブバンドに分割されてもよい。たとえば、サブバンドは、1.08MHzをカバーすることができ、1.4、3、5、10、15、または20MHzの対応するシステム帯域幅に対して、それぞれ1、2、4、8、または16サブバンドであってもよい。
【００３０】
図2は、本開示の実施形態による例示のワイヤレス通信デバイス200を示すブロック図である。ワイヤレス通信デバイス200は、基地局104、コントローラ、および/または多数の構成のいずれか1つを有するその他のネットワークデバイスであってもよい。示されているように、ワイヤレス通信デバイス200は、プロセッサ202と、命令206を記憶されたメモリ204と、マルチRATキャリアアグリゲーションモジュール208と、(モデム212aおよびRFユニット214aを含む)送受信機210aならびにアンテナ216aを含む第1のRATサブシステムと、(モデム212bおよびRFユニット214bを含む)送受信機210bならびにアンテナ216bを含む第2のRATサブシステムとを含むことができる。これらの要素は、たとえば1つまたは複数のバスを介して、相互に直接または間接通信することができる。
【００３１】
プロセッサ202は、中央処理装置(CPU)、デジタル信号プロセッサ(DSP)、特定用途向け集積回路(ASIC)、コントローラ、フィールドプログラマブルゲートアレイ(FPGA)デバイス、その他のハードウェアデバイス、ファームウェアデバイス、または図1に関して上記で紹介され後段においてより詳細に説明されるワイヤレス通信デバイス200を参照して本明細書において説明される動作を実行するように構成されたこれらの任意の組合せを含むことができる。特に、プロセッサ202は、後段においてさらに詳細に説明されるように、シングルRATを使用するマルチRATの制御を調整することを含む、マルチRATキャリアアグリゲーションに関連付けられている様々な機能を実行するために、マルチRATキャリアアグリゲーションモジュール208を含むワイヤレス通信デバイス200のその他のコンポーネントと組み合わせて使用されてもよい。プロセッサ202はまた、たとえばDSPとマイクロプロセッサの組合せのようなコンピューティングデバイスの組合せ、複数のマイクロプロセッサ、DSPコアと連携する1つまたは複数のマイクロプロセッサ、または任意の他のそのような構成として実施されてもよい。
【００３２】
メモリ204は、キャッシュメモリ(たとえば、プロセッサ202のキャッシュメモリ)、ランダムアクセスメモリ(RAM)、磁気抵抗RAM(MRAM)、読取り専用メモリ(ROM)、プログラマブル読取り専用メモリ(PROM)、消去可能プログラマブル読取り専用メモリ(EPROM)、電気的消去可能プログラマブル読取り専用メモリ(EEPROM)、フラッシュメモリ、ソリッドステートメモリデバイス、ハードディスクドライブ、その他の形態の揮発性および不揮発性メモリ、または様々なタイプのメモリの組合せを含むことができる。実施形態において、メモリ204は、非一時的コンピュータ可読媒体を含む。メモリ204は、命令206を記憶することができる。命令206は、プロセッサ202によって実行されるとき、プロセッサ202に、本開示の実施形態に関連してシングルRATを使用するマルチRATの制御を調整するワイヤレス通信デバイス200を参照して本明細書において説明される動作を実行させる命令を含むことができる。命令206はまた、コードと称されてもよい。「命令」および「コード」という用語は、任意のタイプのコンピュータ可読ステートメントを含むように広範に解釈されるべきである。たとえば、「命令」および「コード」という用語は、1つまたは複数のプログラム、ルーチン、サブルーチン、関数、プロシージャなどを示すことができる。「命令」および「コード」は、単一のコンピュータ可読ステートメントまたは多数のコンピュータ可読ステートメントを含むことができる。
【００３３】
マルチRATキャリアアグリゲーションモジュール208は、本開示の様々な態様に使用されてもよい。たとえば、マルチRATキャリアアグリゲーションモジュール208は、シングルRATの通信を使用してマルチRATの制御シグナリング、スケジューリング、ACK/NACKなどを調整することができる。たとえば、マルチRATキャリアアグリゲーションモジュール208は、第1および第2のRATサブシステム上のUE102とワイヤレス通信デバイス200との間のトラフィックを(たとえば、物理ダウンリンク制御チャネル(PDCCH)、拡張物理ダウンリンク制御チャネル(ePDCCH)、ACK/NACKなどを使用して)スケジュールするおよび/または肯定応答する(もしくは肯定応答しない)ために、ワイヤレス通信デバイス200の第1および第2のRATサブシステムの1つを介する通信を使用することができる。
【００３４】
この点に関して、マルチRATキャリアアグリゲーションモジュール208は、場合によってはマルチRATキャリアアグリゲーションを調整するために、マルチRATに適合する送信時間間隔(TTI)を使用することができる。たとえば、第1および第2のRATサブシステムの送信時間間隔(TTI)、ダウンリンクおよび/またはアップリンクは、両方のRATサブシステムを介する通信を調整するために、RATサブシステムの1つを介して通信できるように、相互に拡大縮小されてもよい。たとえば、第1のRATサブシステムのダウンリンクおよび/またはアップリンクTTIは、第2のRATサブシステムの対応するダウンリンクおよび/またはアップリンクTTIの分数および/または倍数と同じになるように定義されてもよい。その結果、第1および第2のRATサブシステム上のダウンリンクおよび/またはアップリンク通信は、RATサブシステムの1つのみを使用して調整されてもよい。この点において、マルチRATキャリアアグリゲーションモジュール208は、以下の図4〜図9に関してさらに詳細に説明されるように、シングルRATを使用してマルチRATを介する通信(ダウンリンクおよび/またはアップリンク)を調整するように構成されてもよい。
【００３５】
示されているように、ワイヤレス通信デバイス200は、第1および第2のRATサブシステムに関連付けられている。この点に関して、第1および第2のRATサブシステムは、共通の位置における(たとえば、同じ基地局における)、または異なる位置における(たとえば、2つの異なる基地局における、基地局およびゲートウェイにおける、など)別個のコンポーネントであってもよい。第1および第2のRATサブシステムが異なる位置にある場合、ワイヤレス通信デバイス200は、有線および/またはワイヤレス接続を介することを含む、直接または間接に、RATサブシステムの各々と通信しているコントローラまたは制御システムの一部であってもよい。さらに、一部の実施態様において、ワイヤレス通信デバイス200は、ワイヤレス通信デバイス200が3つ以上のRATサブシステムを含む(または通信している)ように、追加のRATサブシステムを含む(または通信している)。
【００３６】
示されているように、RATサブシステムの各々は、モデムサブシステム212a、212bおよび無線周波数(RF)ユニット214a、214bを含むことができる送受信機210a、210bを含む。送受信機210a、210bは、UE102、基地局104、および/またはその他のワイヤレス通信デバイスのような、その他のデバイスと双方向に通信するように構成されてもよい。モデムサブシステム212a、212bは、たとえば、低密度パリティチェック(LDPC)コーディング方式、ターボコーディング方式、畳込みコーディング方式などの変調およびコーディング方式(MCS)に従って、マルチRATキャリアアグリゲーションモジュール208からのデータを変調および/または符号化するように構成されてもよい。RFユニット214a、214bは、(アウトバウンド送信の)モデムサブシステム212a、212bからの、またはUE102、基地局104、および/またはその他のワイヤレス通信デバイスのような別のソースから発信される送信の、変調された/符号化されたデータを処理する(たとえば、アナログデジタル変換またはデジタルアナログ変換を行うなど)ように構成されてもよい。送受信機210a、210bにおいて統合されるように示されているが、モデムサブシステム212a、212bおよびRFユニット214a、214bは、ワイヤレス通信デバイス200がその他のデバイスとそれぞれのRATを介して通信できるようにするためにワイヤレス通信デバイス200において結合されている別個のデバイスであってもよい。
【００３７】
RFユニット214a、214bは、変調済みのデータおよび/または処理済みのデータ、たとえばデータパケット(または、より一般的には、1つまたは複数のデータパケットおよびその他の情報を含むことができるデータメッセージ)を、1つまたは複数のその他のデバイスに送信するためにアンテナ216a、216bに提供することができる。これは、たとえば、本開示の実施形態によるシングルRATを使用するマルチRATの制御およびスケジューリングシグナルの送信を含むことができる。たとえば、ワイヤレス通信デバイス200の両方のRATサブシステム(RAT1とRAT2)の制御およびスケジューリングシグナルは、第1のRATサブシステム(RAT1)を通じて調整されてもよい。アンテナ216a、216bは、その他のデバイスから送信されたデータメッセージをさらに受信して、送受信機210a、210bにおける処理および/または復調のために受信したデータメッセージを提供することができる。図2は、各アンテナ216a、216bを単一のアンテナとして示しているが、アンテナ216a、216bは、複数の送信リンクを維持するために類似または異なる設計の複数のアンテナを含むことができる。
【００３８】
図3は、本開示の実施形態による例示的なUE102を示すブロック図である。UE102は、上記で説明されている多数の構成の任意の1つを含む、広範なデバイスタイプを代表する。示されているように、UE102は、プロセッサ302、命令306が記憶されたメモリ304、マルチRATモジュール308、送受信機310(モデム312およびRFユニット314を含む)、およびアンテナ316を含むことができる。これらの要素は、たとえば1つまたは複数のバスを介して、相互に直接または間接通信することができる。
【００３９】
プロセッサ302は、中央処理装置(CPU)、デジタル信号プロセッサ(DSP)、特定用途向け集積回路(ASIC)、コントローラ、フィールドプログラマブルゲートアレイ(FPGA)デバイス、その他のハードウェアデバイス、ファームウェアデバイス、または図1に関して上記で紹介され後段においてより詳細に説明されるUE102を参照して本明細書において説明される動作を実行するように構成されたこれらの任意の組合せを含むことができる。特に、プロセッサ302は、後段においてさらに詳細に説明されるように、マルチRATキャリアアグリゲーションに関連付けられている様々な機能を実行するために、マルチRATモジュール308を含むUE102のその他のコンポーネントと組み合わせて使用されてもよい。プロセッサ302はまた、たとえばDSPとマイクロプロセッサの組合せのようなコンピューティングデバイスの組合せ、複数のマイクロプロセッサ、DSPコアと連携する1つまたは複数のマイクロプロセッサ、または任意の他のそのような構成として実施されてもよい。
【００４０】
メモリ304は、キャッシュメモリ(たとえば、プロセッサ302のキャッシュメモリ)、ランダムアクセスメモリ(RAM)、磁気抵抗RAM(MRAM)、読取り専用メモリ(ROM)、プログラマブル読取り専用メモリ(PROM)、消去可能プログラマブル読取り専用メモリ(EPROM)、電気的消去可能プログラマブル読取り専用メモリ(EEPROM)、フラッシュメモリ、ソリッドステートメモリデバイス、ハードディスクドライブ、その他の形態の揮発性および不揮発性メモリ、または様々なタイプのメモリの組合せを含むことができる。実施形態において、メモリ304は、非一時的コンピュータ可読媒体を含む。メモリ304は、命令306を記憶することができる。命令306は、プロセッサ302によって実行されるとき、プロセッサ302に、本開示の実施形態に関連してマルチRATを使用して(アップリンク)信号を送信および/または(ダウンリンク)信号を受信するUE102を参照して本明細書において説明される動作を実行させる命令を含むことができる。命令306はまた、コードと称されてもよい。「命令」および「コード」という用語は、任意のタイプのコンピュータ可読ステートメントを含むように広範に解釈されるべきである。たとえば、「命令」および「コード」という用語は、1つまたは複数のプログラム、ルーチン、サブルーチン、関数、プロシージャなどを示すことができる。「命令」および「コード」は、単一のコンピュータ可読ステートメントまたは多数のコンピュータ可読ステートメントを含むことができる。
【００４１】
マルチRATモジュール308は、本開示の様々な態様に使用されてもよい。たとえば、マルチRATモジュール308は、シングルRATを使用してマルチRATの制御シグナリング、スケジューリング、ACK/NACKなどを調整することができる。たとえば、マルチRATモジュール308は、マルチRATサブシステム(たとえば、図2のワイヤレス通信デバイス200のRAT1およびRAT2)上のUE102とその他のワイヤレス通信デバイスとの間のトラフィックを(たとえば、物理ダウンリンク制御チャネル(PDCCH)、拡張物理ダウンリンク制御チャネル(ePDCCH)、ACK/NACKなどを使用して)スケジュールするおよび/または肯定応答する(もしくは肯定応答しない)トラフィックのために、1つのRATサブシステム(たとえば、図2のワイヤレス通信デバイス200のRAT1)を介する通信を使用することができる。
【００４２】
この点に関して、マルチRATモジュール308は、場合によってはマルチRATキャリアアグリゲーションを調整するために、マルチRATに適合する送信時間間隔(TTI)を使用することができる。たとえば、マルチRATの送信時間間隔(TTI)、ダウンリンクおよび/またはアップリンクは、その他のRAT上の通信を調整するために使用されるRATの1つを介して通信できるように、相互に拡大縮小されてもよい。たとえば、第1のRATのダウンリンクおよび/またはアップリンクTTIは、もう1つのRATの対応するダウンリンクおよび/またはアップリンクTTIの分数および/または倍数と同じになるように定義されてもよい。その結果、両方のRAT上のダウンリンクおよび/またはアップリンク通信は、RATサブシステムの1つのみを使用して調整されてもよい。この点において、マルチRATモジュール308は、以下の図4〜図9に関してさらに詳細に説明されるように、シングルRATを使用する制御、スケジューリング、および/またはACK/NACK通信を使用してマルチRATを介する通信(ダウンリンクおよび/またはアップリンク)を調整するように構成されてもよい。
【００４３】
示されているように、送受信機310は、モデムサブシステム312および無線周波数(RF)ユニット314を含むことができる。送受信機310は、基地局104、および/またはその他のUE102のような、その他のデバイスと双方向に通信するように構成されてもよい。モデムサブシステム312は、たとえば、低密度パリティチェック(LDPC)コーディング方式、ターボコーディング方式、畳込みコーディング方式などの変調およびコーディング方式(MCS)に従って、マルチRATモジュール308からのデータを変調および/または符号化するように構成されてもよい。RFユニット314は、(アウトバウンド送信の)モデムサブシステム312からの、もしくは基地局104または別のUE102のような別のソースから発信される送信の、変調された/符号化されたデータを処理する(たとえば、アナログデジタル変換またはデジタルアナログ変換を行うなど)ように構成されてもよい。送受信機310において統合されるように示されているが、モデムサブシステム312およびRFユニット314は、UE102がその他のデバイスと通信できるようにするためにUE102において結合されている別個のデバイスであってもよい。
【００４４】
RFユニット314は、変調済みのデータおよび/または処理済みのデータ、たとえばデータパケット(または、より一般的には、1つまたは複数のデータパケットおよびその他の情報を含むことができるデータメッセージ)を、1つまたは複数のその他のデバイスに送信するためにアンテナ316に提供することができる。これは、たとえば、本開示の実施形態による制御信号、データ信号、ACK/NACK信号などのその他のデバイスへの送信を含むことができる。アンテナ316は、その他のデバイスから送信された制御信号、データ信号、ACK/NACK信号などを含むデータをさらに受信して、送受信機310における処理および/または復調のために受信したデータを提供することができる。図3は、アンテナ316を単一のアンテナとして示しているが、アンテナ316は、複数の送信リンクを維持するために類似または異なる設計の複数のアンテナを含むことができる。たとえば、一部の実施態様において、UE102は、各RATが専用のアンテナを有するように、複数のアンテナを含む。さらに、一部の実施態様において、単一のアンテナは、マルチRATのために使用されてもよい。
【００４５】
次に図4〜図6を参照すると、本開示の様々な態様による第1の無線アクセス技術コンポーネントと、第2の無線アクセス技術コンポーネントと、ユーザ機器との間の様々なフレームフォーマットおよび対応する通信送信が示される。特に、図4〜図6は、本開示によるダウンリンク送信のためのマルチRATキャリアアグリゲーションを容易にするためにマルチRATにわたり送信時間間隔(TTI)を調整する様々な手法を示す。
【００４６】
たとえば、より詳細に図4を参照すると、本開示の態様によるフレームおよびシグナリング構造400が示される。示されているように、第1のTTIの間、RAT1とRAT2の両方を介する通信の制御情報は、RAT1のみを使用してUE120に送信される。制御情報は、チャネル条件(たとえば、チャネル品質情報(CQI))、ダウンリンク帯域、コーディング方式、UE120に送信されるべきデータ負荷のスケジューリング/タイミング、UE120に送信されるべきデータ負荷のサイズなどに関する情報を含むことができる。UE120は、RAT2および/またはRAT1を介してデータを受信するようにそれ自体を構成するために、受信した制御情報を使用する。この点において、データは、RAT1およびRAT2の1つまたは両方を介して送信されてもよい。たとえば、データのタイプが特に、特定のRATを使用する送信により適していることがある。したがって、場合によっては、データは、RAT1またはRAT2の1つを介してしか送信されないこともある。その他の場合には、データは、RAT1とRAT2の両方を介して送信されてもよい。データがRAT1とRAT2の両方を介して送信される場合、各RATを介して送信されるデータは、異なるデータまたは同じデータであってもよい(たとえば、UE120により受信を確実にする目的でデータが両RATを介して送信される場合)。示される実施形態において、RAT1データおよびRAT2データは、UE120に送信される。UE120に送信されたRAT1データは、RAT1およびRAT2の制御情報を送信するために使用されるチャネル(たとえば、制御チャネル)とは異なるRAT1のチャネル(たとえば、データチャネル)を使用して送信されてもよい。
【００４７】
UE120は、後続のTTIにおいてRAT1を使用して肯定応答(ACK)または否定応答(NACK)を送信する。UE120によって送信されるACK/NACKは、RAT1およびRAT2の制御情報をUE120に送信するために使用されるチャネル(たとえば、制御チャネル)を使用して送信されてもよく、これはRAT1データが送信されたRAT1のチャネル(たとえば、データチャネル)と異なっていてもよい。ACK/NACKは、UE120が、RAT1および/またはRAT2を介して送信されたデータを正常に受信したかどうかについての指示を提供する。場合によっては、RAT1データおよびRAT2データの各々に関して別個のACK/NACKが送信されるが、各ACK/NACKはRAT1を使用して送信される。その他の場合には、RAT1データおよび/またはRAT2データがUE120によって受信されたかどうかを示す単一のACK/NACKが送信される。UE120は、RAT2を使用して別個のACK/NACK送信を行わない。むしろ、RAT1を使用してUE120によって送信されるACK/NACKは、RAT2データが受信されたかどうかについての指示を含む。この点に関して、基地局、コントローラ、制御システム、および/またはRAT1およびRAT2をリンクするその他のコンポーネントは、RAT1を介して受信されたACK/NACKをRAT2に通信する、および/またはそれ以外の場合、受信されたACK/NACKに基づいてRAT2に示すことができる。たとえば、NACKがUE120から受信される場合、RAT2データは、RAT2を介して(たとえば、HARQまたは類似する手法を使用して)UE120に再送信されてもよい。RAT2は、UE120からACK/NACKを受信する必要はないので、RAT2は、切り替わることなく同じ動作モードで動作を継続することができる。たとえば、RAT2は、UE120がACK/NACKを送信するTTIの間、(たとえば、データをその他のUEに送信することによって)ダウンリンクモードで動作を継続することができる。RAT2が制御の目的でダウンリンクモードとアップリンクモードを切り替える必要をなくすことにより、システムの全体的なデータスループットが高められる。
【００４８】
制御情報およびデータがUE120に送信されるTTI、UE120がACK/NACKを送信するTTIと、制御情報およびデータが再送信される(たとえば、UEがNACKを送信する場合)かまたは新しい制御情報およびデータが送信される(たとえば、UE120がACKを送信する場合)次のTTIとの間のスペーシングは、使用されている特定のRAT、構造が下位互換である必要があるか(または下位互換ではないか)どうか、望ましい/使用可能な処理時間および/または電力、ハードウェア(たとえば、基地局、UEなど)機能、および/またはその他のネットワークパラメータに応じて異なることがある。場合によっては、RAT2のTTI構造は、本開示によるマルチRATキャリアアグリゲーションを容易にするために、RAT1のTTI構造(またはスロット構造)に拡大縮小される。この点において、RAT1は、ワイヤレスネットワークのレガシーまたは既存RATと見なされてもよく、ここでRAT2は、ワイヤレスネットワークに新たに追加されたかまたは導入されたRATである。一部の特定の実施態様において、RAT1はLTE RATであってもよく、RAT2は、LTE RATに関して増加された帯域幅および/またはスループットを有するRAT、アンライセンス帯域を有するRAT、および/またはLTE RATとは異なるその他の機能を有するRATであってもよい。この目的のために、場合によっては、RAT2のTTIは、本開示によるマルチRATキャリアアグリゲーションを容易にするために、現在のLTEフレーム構造に関連付けられている1msのTTI構造および/または500μsのスロット構造に拡大縮小される。さらに、RAT2の処理時間(たとえば、HARQ待ち時間)は、同様の方法におけるRAT1の対応する処理時間と一致するように拡大縮小されてもよい。
【００４９】
図4〜図6の各々は、本開示の態様による異なるフレーム構造のスペーシングを示す。図4〜図6の各々において、例は、第2のRATのフレーム構造のタイミングが、第1のRATのフレーム構造のタイミングにそろえられることを示す。たとえば、図4のフレーム構造400は、ACK/NACKがTTInにおける制御情報および/またはデータの受信に続くTTIn+4において送信され、NACKがUE120によって送信される場合にはTTIn+8において再送信が生じる手法を示す。図5のフレーム構造500は、ACK/NACKがTTInにおける制御情報および/またはデータの受信に続くTTIn+2において送信され、NACKがUE120によって送信される場合にはTTIn+4において再送信が生じる手法を示す。したがって、図5のフレーム構造500は、図4と比較すると、短縮された処理時間またはHARQ待ち時間を有する。この短縮された処理時間は、増大するネットワークのスループットに対して有利となり得る。しかし、そのような手法は、既存のRAT配備(たとえば、RAT1、LTE RATなど)に関連付けられている標準および/またはデフォルトのルールの変更を必要とする場合がある。図6のフレーム構造600は、ACK/NACKがTTInの第1のスロットにおける制御情報および/またはデータの受信に続くTTIn+1の第1のスロットにおいて送信され、NACKがUE120によって送信される場合にはTTIn+2の第1のスロットにおいて再送信が生じる手法を示す。したがって、図6のフレーム構造600は、図4および図5と比較すると、さらに短縮された処理時間またはHARQ待ち時間を有する。この点において、TTIに依存するのではなく、様々なRATの調整されたタイミングが、TTIのスロットを使用してスケジュールされてもよい。この点において、各TTIは、2、3、4、またはそれ以上のスロットを含む任意の数のスロットに分割されてもよい。図6の示されている実施形態において、各TTIは2つのスロットに分割されている。
【００５０】
次に図7を参照すると、本開示の様々な態様による第1および第2の無線アクセス技術コンポーネントを有する基地局110とユーザ機器120との間の送信を示すプロトコル図700が示される。特に、図7は、ダウンリンクのマルチRATキャリアアグリゲーションの図4〜図6のコンテキストにおいて上記で説明されている送信と一致する送信を示す。示されているように、基地局110は、RAT1とRAT2の両方を介する通信の制御情報を、RAT1のみを使用してUE120に送信する。上記で説明されるように、制御情報は、チャネル条件(たとえば、チャネル品質情報(CQI))、ダウンリンク帯域、コーディング方式、UE120に送信されるべきデータ負荷のスケジューリング/タイミング、UE120に送信されるべきデータ負荷のサイズなどに関する情報を含むことができる。UE120は、RAT2および/またはRAT1を介してデータを受信するようにそれ自体を構成するために、受信した制御情報を使用する。この点において、データは、基地局110によってRAT1およびRAT2の1つまたは両方を介して送信されてもよい。たとえば、データのタイプが特に、特定のRATを使用する送信により適していることがある。したがって、場合によっては、基地局110は、データを送信する特定のRAT(RAT1またはRAT2)を選択することができる。その他の場合には、基地局110は、RAT1とRAT2の両方を介してデータを送信することができる。基地局110は、RAT1およびRAT2の制御情報を送信するために使用されるチャネル(たとえば、制御チャネル)とは異なるRAT1のチャネル(たとえば、データチャネル)を使用して、RAT1データをUE120に送信することができる。
【００５１】
示されているように、UE120は、続いて、RAT1を使用して肯定応答(ACK)または否定応答(NACK)を送信する。UE120は、RAT1およびRAT2の制御情報をUE120に送信するために基地局110によって使用されるチャネル(たとえば、制御チャネル)を使用してACK/NACKを送信することができ、これはRAT1データが受信されたRAT1のチャネル(たとえば、データチャネル)とは異なっていてもよい。ACK/NACKは、UE120が、RAT1および/またはRAT2を介して送信されたデータを正常に受信したかどうかについての指示を提供する。場合によっては、UE120は、RAT1データおよびRAT2データの各々について別個のACK/NACKを送信するが、各ACK/NACKはRAT1を使用して送信される。その他の場合には、UE120は、RAT1データおよび/またはRAT2データがUE120によって受信されたかどうかを示す単一のACK/NACKを送信する。UE120は、RAT2を使用して別個のACK/NACK送信を行わない。むしろ、RAT1を使用してUE120によって送信されるACK/NACKは、RAT2データが受信されたかどうかについての指示を含む。この点に関して、基地局110(またはコントローラ、制御システム、および/または基地局110のRAT1およびRAT2をリンクするその他のコンポーネント)は、RAT1を介して受信されたACK/NACKをRAT2に通信する、および/またはそれ以外の場合、UE120から受信されたACK/NACKに基づいてRAT2に示すことができる。示されているように、このプロセスは、マルチRATキャリアアグリゲーション方式を使用する基地局110とUE120との間の継続的な通信を容易にするために反復する。
【００５２】
次に図8を参照すると、本開示の様々な態様による第1の無線アクセス技術コンポーネントと、第2の無線アクセス技術コンポーネントと、ユーザ機器との間の例示的なフレームフォーマット800および対応する通信送信が示される。特に、図8は、本開示によるアップリンク送信のためのマルチRATキャリアアグリゲーションを容易にするためにマルチRATにわたる送信時間間隔(TTI)を調整する手法を示す。
【００５３】
図8に示されているように、第1のTTIの間、RAT1とRAT2の両方を介するアップリンク通信の制御情報は、RAT1のみを使用してUE120に送信される。制御情報は、チャネル条件(たとえば、チャネル品質情報(CQI))、ダウンリンク帯域、コーディング方式、データアップリンクのスケジューリング/タイミングなどに関する情報を含むことができる。UE120は、示されている実施形態において後続のTTIでRAT2および/またはRAT1を介してデータを送信するようにそれ自体を構成するために、受信した制御情報を使用する。この点において、UE120は、RAT1およびRAT2の1つまたは両方を介してデータを送信することができる。たとえば、データのタイプが特に、特定のRATを使用する送信により適していることがある。したがって、場合によっては、UE120は、データをRAT1またはRAT2の1つを介してしか送信しないこともある。その他の場合には、データは、RAT1とRAT2の両方を介して送信されてもよい。データがRAT1とRAT2の両方を介して送信される場合、各RATを介して送信されるデータは、異なるデータまたは同じデータであってもよい(たとえば、UE120により受信を確実にする目的でデータが両RATを介して送信される場合)。示される実施形態において、RAT1データおよびRAT2データは、UE120によって送信される。UE120に送信されたRAT1データは、RAT1およびRAT2の制御情報をUE120に送信するために使用されるチャネル(たとえば、制御チャネル)とは異なるRAT1のチャネル(たとえば、データチャネル)を使用して送信されてもよい。
【００５４】
RAT1は、後続のTTIにおいてRAT1を使用して肯定応答(ACK)または否定応答(NACK)を送信する。RAT1によって送信されるACK/NACKは、RAT1およびRAT2の初期アップリンク制御情報をUE120に送信するために使用されるチャネル(たとえば、制御チャネル)を使用して送信されてもよく、これはRAT1データがUE120によって送信されたRAT1のチャネル(たとえば、データチャネル)とは異なっていてもよい。ACK/NACKは、RAT1(または関連するワイヤレス通信デバイス)が、RAT1および/またはRAT2を介して送信されたデータを正常に受信したかどうかについての指示を提供する。場合によっては、RAT1データおよびRAT2データの各々に関して別個のACK/NACKが送信されるが、各ACK/NACKはRAT1を使用して送信される。その他の場合には、RAT1データおよび/またはRAT2データが受信されたかどうかを示す単一のACK/NACKが送信される。別個のACK/NACK送信は、RAT2を使用して行われない。むしろ、RAT1を使用して送信されるACK/NACKは、RAT2データが受信されたかどうかについての指示を含む。ACK/NACKとともに、または別個のTTI(またはスロット)において、RAT1はまた、RAT1とRAT2の両方を介してアップリンク通信の制御情報を送信することもでき、これは最初に送信された制御信号と同じであるかまたは更新されてもよい。示されている実施形態において、ACK/NACKおよび更新された制御情報は、共通のTTIの同じスロットで送信される。したがって、NACKがUE120によって受信される場合、UE120は、NACKとともに受信された更新済み制御情報に基づいてデータを再送信しようと試みることができる。
【００５５】
上記で説明されているダウンリンクマルチRATキャリアアグリゲーション技法と同様に、制御情報およびデータがUE120に送信されるTTI(またはスロット)と、UE120がRAT1および/またはRAT2を介してデータを送信するTTI(またはスロット)と、ACK/NACKが送信されるTTI(またはスロット)、更新済みアップリンク制御情報が送信されるTTI(またはスロット)と、および/またはアップリンクデータが再送信される(たとえば、UEがNACKを送信する場合)かまたは新しいアップリンクデータが送信される(たとえば、UE120がACKを送信する場合)TTI(またはスロット)との間のスペーシングは、使用されている特定のRAT、構造が下位互換であるか(または下位互換ではないか)どうか、望ましい/使用可能な処理時間および/または電力、ハードウェア(たとえば、基地局、UEなど)機能、および/またはその他のネットワークパラメータに応じて異なることがある。図8は、図6と類似するスロットベースの手法を示すが、本開示によるアップリンクマルチRATキャリアアグリゲーション技法について図4および図5に関して上記で説明されているものと類似する手法を含む様々な他の手法が使用されてもよいことが理解されよう。
【００５６】
次に図9を参照すると、本開示の様々な態様による第1および第2の無線アクセス技術コンポーネントを有する基地局110とユーザ機器120との間の送信を示すプロトコル図900が示される。特に、図9は、アップリンクのマルチRATキャリアアグリゲーションの図8のコンテキストにおいて上記で説明されている送信と一致する送信を示す。示されているように、基地局110は、RAT1とRAT2の両方を介する通信の制御情報を、RAT1のみを使用してUE120に送信する。上記で説明されているように、制御情報は、チャネル条件(たとえば、チャネル品質情報(CQI))、ダウンリンク帯域、コーディング方式、アップリンクデータのスケジューリング/タイミングなどに関する情報を含むことができる。UE120は、RAT2および/またはRAT1を介してデータを送信するようにそれ自体を構成するために、受信した制御情報を使用する。この点において、アップリンクデータは、RAT1およびRAT2の1つまたは両方を介してUE120によって送信されてもよい。たとえば、データのタイプが特に、特定のRATを使用する送信により適していることがある。したがって、場合によっては、UE120は、データを送信する特定のRAT(RAT1またはRAT2)を選択することができる。その他の場合には、UE120は、RAT1とRAT2の両方を介してデータを送信することができる。UE120は、RAT1およびRAT2の制御情報をUE120に送信するために使用されるチャネル(たとえば、制御チャネル)とは異なるRAT1のチャネル(たとえば、データチャネル)を使用して、RAT1データを基地局110に送信することができる。
【００５７】
示されているように、基地局120は、続いて、RAT1を使用して肯定応答(ACK)または否定応答(NACK)および更新済み制御情報を送信する。基地局110は、RAT1およびRAT2の初期制御情報をUE120に送信するために使用されるチャネル(たとえば、制御チャネル)を使用してACK/NACKを送信することができ、これはRAT1データがUE120によって送信されたRAT1のチャネル(たとえば、データチャネル)とは異なっていてもよい。ACK/NACKは、基地局110が、RAT1および/またはRAT2を介して送信されたデータを正常に受信したかどうかについての指示を提供する。場合によっては、基地局110は、RAT1データおよびRAT2データの各々について別個のACK/NACKを送信するが、各ACK/NACKはRAT1を使用して送信される。その他の場合には、基地局110は、RAT1データおよび/またはRAT2データが基地局110によって受信されたかどうかを示す単一のACK/NACKを送信する。基地局110は、RAT2を使用して別個のACK/NACK送信を行わない。むしろ、RAT1を使用して基地局110によって送信されるACK/NACKは、RAT2データが受信されたかどうかについての指示を含む。示されているように、このプロセスは、マルチRATキャリアアグリゲーション方式を使用する基地局110とUE120との間の継続的な通信を容易にするために反復する。この点に関して、基地局110およびUE120が、図9に示されるアップリンクマルチRATキャリアアグリゲーション手法と、図7に示されるダウンリンクマルチRATキャリアアグリゲーション手法と、および/または標準のアップリンクおよびダウンリンク通信手法との間で、定期的に、ランダムに、または要求に応じて交互に変わり得ることを理解されたい。
【００５８】
情報および信号は、多種多様な技術および技法のいずれかを使用して表され得る。たとえば、上記の説明全体にわたり参照され得るデータ、命令、コマンド、情報、信号、ビット、シンボル、およびチップは、電圧、電流、電磁波、磁場もしくは磁性粒子、光場もしくは光学粒子、またはそれらの任意の組合せによって表されてもよい。
【００５９】
本明細書において開示に関連して説明される様々なブロックおよびモジュールは、汎用プロセッサ、DSP、ASIC、FPGAまたはその他のプログラマブル論理デバイス、個別ゲートまたはトランジスタ論理、個別ハードウェアコンポーネント、または本明細書において説明される機能を実行するように設計されたこれらの任意の組合せにより実施または実行されてもよい。汎用プロセッサは、マイクロプロセッサであってもよいが、代替策において、プロセッサは、任意の従来のプロセッサ、コントローラ、マイクロコントローラ、または状態マシンであってもよい。プロセッサはまた、コンピューティングデバイスの組合せ(たとえば、DSPとマイクロプロセッサの組合せ、複数のマイクロプロセッサ、DSPコアと連携する1つまたは複数のマイクロプロセッサ、または任意の他のそのような構成)として実施されてもよい。
【００６０】
本明細書において説明される機能は、ハードウェア、プロセッサによって実行されるソフトウェア、ファームウェア、またはその任意の組合せにおいて実施されてもよい。プロセッサによって実行されるソフトウェアにおいて実施される場合、機能は、コンピュータ可読媒体上に1つまたは複数の命令またはコードとして記憶または送信されてもよい。その他の例および実施態様は、本開示および添付の特許請求の範囲に含まれる。たとえば、ソフトウェアの特性により、上記で説明される機能は、プロセッサ、ハードウェア、ファームウェア、ハードワイヤリング、またはその任意の組合せを使用して実施されてもよい。機能を実施する特徴はまた、機能の部分が異なる物理位置において実施されるように分散されることを含む、様々な場所に物理的に位置してもよい。
【００６１】
また、特許請求の範囲内を含む本明細書において使用されるように、項目のリスト(たとえば、「のうちの少なくとも1つ」または「のうちの1つまたは複数」のような句により始まる項目のリスト)において使用される「または」は、たとえば、[A、B、またはCのうちの少なくとも1つ]のリストがAまたはBまたはCまたはABまたはACまたはBCまたはABC(すなわち、AおよびBおよびC)を意味するように、包含的なリストを指示する。また、1つの実施形態に関して説明される特徴、コンポーネント、アクション、および/またはステップが、本明細書において提示されている順序とは異なる順序で構造化されてもよいこと、および/または本開示のその他の実施形態に関して説明される特徴、コンポーネント、アクション、および/またはステップと組み合わされてもよいことが企図される。
【００６２】
本開示の実施形態は、プログラムコードを記録されているコンピュータ可読媒体を含み、プログラムコードは、コンピュータに、第1のワイヤレス通信デバイスにおいて、制御情報を第1の無線アクセス技術(RAT)を介して第2のワイヤレス通信デバイスに送信させるためのコードを備え、制御情報は、第2のRATの制御情報を含む。プログラムコードは、コンピュータに、第1のRATを介して第2のワイヤレス通信デバイスから肯定応答(ACK)または否定応答(NACK)を受信させるためのコードをさらに備え、ACKまたはNACKは、第2のRATを介して実施される第2のワイヤレス通信デバイスの通信に関連する。
【００６３】
コンピュータ可読媒体は、制御情報が第1のRATの制御情報をさらに含むことをさらに含む。コンピュータ可読媒体は、コンピュータに、第1のデータを第1のRATを介して第2のワイヤレス通信デバイスに送信させるためのコードをさらに含む。コンピュータ可読媒体は、コンピュータに、第2のデータを第2のRATを介して第2のワイヤレス通信デバイスに送信させるためのコードをさらに含む。コンピュータ可読媒体は、第1のRATを介して第2のワイヤレス通信デバイスからNACKが受信される場合、コンピュータに、第2のデータを第2のRATを介して第2のワイヤレス通信デバイスに再送信させるためのコードをさらに含む。コンピュータ可読媒体は、第1のRATがロングタームエボリューション(LTE)RATを含むことをさらに含む。コンピュータ可読媒体は、コンピュータに制御情報を送信させるためのコードが、制御情報を、第1の送信時間間隔(TTI)中にLTE RATを介して第2のワイヤレス通信デバイスに送信されるようにすることと、コンピュータに第2のデータを送信させるためのコードが、第2のデータを、第1のTTI中に第2のRATを介して第2のワイヤレス通信デバイスに送信されるようにすることと、コンピュータにACKまたはNACKを受信させるためのコードが、ACKまたはNACKを、第2のTTI中に第2のワイヤレス通信デバイスから受信されるようにすることとをさらに含む。コンピュータ可読媒体は、第1のワイヤレス通信デバイスが基地局であり、第2のワイヤレス通信デバイスがユーザ機器であることをさらに含む。コンピュータ可読媒体は、第1のワイヤレス通信デバイスが、第2のRATに関連付けられているアンテナを含むことをさらに含む。コンピュータ可読媒体は、第1のワイヤレス通信デバイスが、第1のワイヤレス通信デバイスからリモートに位置する第2のRATに関連付けられているアンテナと通信していることをさらに含む。
【００６４】
本開示の実施形態は、プログラムコードが記録されているコンピュータ可読媒体をさらに含み、プログラムコードは、コンピュータに、第1のワイヤレス通信デバイスにおいて、制御情報を第1の無線アクセス技術(RAT)を介して第2のワイヤレス通信デバイスから受信させるためのコードを備え、制御情報は、第2のRATの制御情報を含む。コンピュータ可読媒体は、コンピュータに、第1のデータを第2のRATを介して第2のワイヤレス通信デバイスに送信させるためのコードをさらに含む。
【００６５】
コンピュータ可読媒体は、コンピュータに、第1のRATを介して第2のワイヤレス通信デバイスから肯定応答(ACK)または否定応答(NACK)を受信させるためのコードをさらに含み、ACKまたはNACKは、第1のデータが第2のRATを介して第2のワイヤレス通信デバイスによって受信されたかどうかを示す。コンピュータ可読媒体は、第1のRATを介して第2のワイヤレス通信デバイスからNACKが受信される場合、コンピュータに、第1のデータを第2のRATを介して第2のワイヤレス通信デバイスに再送信させるためのコードをさらに含む。コンピュータ可読媒体は、制御情報が第1のRATの制御情報をさらに含むことをさらに含む。コンピュータ可読媒体は、コンピュータに、第2のデータを第1のRATを介して第2のワイヤレス通信デバイスに送信させるためのコードをさらに含む。コンピュータ可読媒体は、第1のRATがロングタームエボリューション(LTE)RATを含むことをさらに含む。コンピュータ可読媒体は、コンピュータに制御情報を受信させるためのコードが、制御情報を、第1の送信時間間隔(TTI)中にLTE RATを介して第1のワイヤレス通信デバイスにおいて受信されるようにすることと、コンピュータに第1のデータを送信させるためのコードが、第1のデータを、第2のTTI中に第2のRATを介して第2のワイヤレス通信デバイスに送信されるようにすることとをさらに含む。コンピュータ可読媒体は、第1のワイヤレス通信デバイスがユーザ機器であり、第2のワイヤレス通信デバイスが基地局であることをさらに含む。コンピュータ可読媒体は、コンピュータに、第2のRATを介して第2のワイヤレス通信デバイスに第1のデータを送信させるためのコードが、第1のデータを、第2のRATに関連付けられている第2のワイヤレス通信デバイスのアンテナに送信されるようにすることとをさらに含む。コンピュータ可読媒体は、コンピュータに、第2のRATを介して第2のワイヤレス通信デバイスに第1のデータを送信させるためのコードが、第1のデータを、第2のワイヤレス通信デバイスからリモートに位置する第2のRATに関連付けられているアンテナに送信されるようにすることとをさらに含む。
【００６６】
本開示の実施形態は、制御情報を第1の無線アクセス技術(RAT)を介して第2のワイヤレス通信デバイスに送信するための手段を備えるワイヤレス通信デバイスをさらに含み、制御情報は第2のRATの制御情報を含む。ワイヤレス通信デバイスは、第1のRATを介して第2のワイヤレス通信デバイスから肯定応答(ACK)または否定応答(NACK)を受信するための手段をさらに備え、ACKまたはNACKは、第2のRATを介して実施される第2のワイヤレス通信デバイスの通信に関連する。
【００６７】
ワイヤレス通信デバイスは、制御情報が第1のRATの制御情報をさらに含むことをさらに含む。ワイヤレス通信デバイスは、第1のデータを第1のRATを介して第2のワイヤレス通信デバイスに送信するための手段をさらに含む。ワイヤレス通信デバイスは、第2のデータを第2のRATを介して第2のワイヤレス通信デバイスに送信するための手段をさらに含む。ワイヤレス通信デバイスは、第1のRATを介して第2のワイヤレス通信デバイスからNACKが受信される場合、第2のデータを第2のRATを介して第2のワイヤレス通信デバイスに再送信するための手段をさらに含む。ワイヤレス通信デバイスは、第1のRATがロングタームエボリューション(LTE)RATを含むことをさらに含む。ワイヤレス通信デバイスは、制御情報を送信するための手段が、制御情報を、第1の送信時間間隔(TTI)中にLTE RATを介して第2のワイヤレス通信デバイスに送信するように構成されることと、第2のデータを送信するための手段が、第2のデータを、第1のTTI中に第2のRATを介して第2のワイヤレス通信デバイスに送信するように構成されることと、ACKまたはNACKを受信するための手段が、ACKまたはNACKを、第2のTTI中に第2のワイヤレス通信デバイスから受信するように構成されることとをさらに含む。ワイヤレス通信デバイスは、ワイヤレス通信デバイスが基地局であり、第2のワイヤレス通信デバイスがユーザ機器であることをさらに含む。ワイヤレス通信デバイスは、第2のRATに関連付けられているアンテナをさらに含む。ワイヤレス通信デバイスは、ワイヤレス通信デバイスが、ワイヤレス通信デバイスからリモートに位置する第2のRATに関連付けられているアンテナと通信していることをさらに含む。
【００６８】
本開示の実施形態は、制御情報を第1の無線アクセス技術(RAT)を介して第2のワイヤレス通信デバイスから受信するための手段を備えるワイヤレス通信デバイスをさらに含み、制御情報は第2のRATの制御情報を含む。ワイヤレス通信デバイスは、第1のデータを第2のRATを介して第2のワイヤレス通信デバイスに送信するための手段をさらに備える。
【００６９】
ワイヤレス通信デバイスは、第1のRATを介して第2のワイヤレス通信デバイスから肯定応答(ACK)または否定応答(NACK)を受信するための手段をさらに含み、ACKまたはNACKは、第1のデータが第2のRATを介して第2のワイヤレス通信デバイスによって受信されたかどうかを示す。ワイヤレス通信デバイスは、第1のRATを介して第2のワイヤレス通信デバイスからNACKが受信される場合、第1のデータを第2のRATを介して第2のワイヤレス通信デバイスに再送信するための手段をさらに含む。ワイヤレス通信デバイスは、制御情報が第1のRATの制御情報をさらに含むことをさらに含む。ワイヤレス通信デバイスは、第2のデータを第1のRATを介して第2のワイヤレス通信デバイスに送信するための手段をさらに含む。ワイヤレス通信デバイスは、第1のRATがロングタームエボリューション(LTE)RATを含むことをさらに含む。ワイヤレス通信デバイスは、制御情報を受信するための手段が、制御情報を、第1の送信時間間隔(TTI)中にLTE RATを介して受信するように構成されることと、第1のデータを送信するための手段が、第1のデータを、第2のTTI中に第2のRATを介して送信するように構成されることとをさらに含む。ワイヤレス通信デバイスは、ワイヤレス通信デバイスがユーザ機器であり、第2のワイヤレス通信デバイスが基地局であることをさらに含む。ワイヤレス通信デバイスは、第2のRATを介して第2のワイヤレス通信デバイスに第1のデータを送信するための手段が、第1のデータを、第2のRATに関連付けられている第2のワイヤレス通信デバイスのアンテナに送信するように構成されることをさらに含む。ワイヤレス通信デバイスは、第2のRATを介して第2のワイヤレス通信デバイスに第1のデータを送信するための手段が、第1のデータを、第2のワイヤレス通信デバイスからリモートに位置する第2のRATに関連付けられているアンテナに送信するように構成されることをさらに含む。
【００７０】
以上の説明で当業者が理解するであろうように、手元の特定の適用例に応じて、多くの変更、代替、および変形が、本開示のデバイスの素材、装置、構成および使用方法に対して、その精神および範囲を逸脱することなく行われてもよい。このことを踏まえて、本開示の範囲は、本明細書において示され説明されている特定の実施形態の範囲に限定されるべきではないが、特定の実施形態はほんの一例にすぎず、以下に添付されている特許請求の範囲と完全に相応すべきである。
【符号の説明】
【００７１】
100  ワイヤレス通信ネットワーク
102  UE
104  基地局
108  通信信号
120  UE
200  ワイヤレス通信デバイス
202  プロセッサ
204  メモリ
206  命令
208  マルチRATキャリアアグリゲーションモジュール
210a  送受信機
210b  送受信機
212a  モデム、モデムサブシステム
212b  モデム、モデムサブシステム
214a  RFユニット
214b  RFユニット
216a  アンテナ
216b  アンテナ
302  プロセッサ
304  メモリ
306  命令
308  マルチRATモジュール
310  送受信機
312  モデム、モデムサブシステム
314  RFユニット
316  アンテナ
【図１】
2019083574.tif 000003
【図２】
2019083574.tif 000004
【図３】
2019083574.tif 000005
【図４】
2019083574.tif 000006
【図５】
2019083574.tif 000007
【図６】
2019083574.tif 000008
【図７】
2019083574.tif 000009
【図８】
2019083574.tif 000010
【図９】
2019083574.tif 000011
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第1のワイヤレス通信デバイスによって、制御情報を第1の無線アクセス技術(RAT)を介して第2のワイヤレス通信デバイスに送信するステップであって、前記制御情報は前記第1のRATおよび第2のRATの制御情報を含み、前記第2のRATのタイミング構造は前記第1のRATのタイミング構造とそろえられる、ステップと、
前記第1のワイヤレス通信デバイスによって、前記第1のRATの第1の送信時間間隔(TTI)中に第1のデータを前記第1のRATを介して前記第2のワイヤレス通信デバイスから受信するステップと、
前記第1のワイヤレス通信デバイスによって、前記第1のTTI中に第2のデータを前記第2のRATを介して前記第2のワイヤレス通信デバイスから受信するステップと、
前記第1のワイヤレス通信デバイスによって、前記第1のRATの第2のTTI中に前記第1のRATを介して前記第2のワイヤレス通信デバイスに第1の肯定応答(ACK)または否定応答(NACK)を送信するステップであって、前記第1のACKまたはNACKは、前記第1のTTI中に前記第1のRATを介して送信された前記第1のデータに関連する、ステップと、
前記第1のワイヤレス通信デバイスによって、前記第1のRATの前記第2のTTI中に前記第1のRATを介して前記第2のワイヤレス通信デバイスに第2の肯定応答(ACK)または否定応答(NACK)を送信するステップであって、前記第2のACKまたはNACKは、前記第1のTTI中に前記第2のRATを介して送信された前記第2のデータに関連する、ステップと
を備える方法。
【請求項２】
前記第1のRATを介して前記第2のワイヤレス通信デバイスに前記第2のNACKが送信される場合、前記第1のワイヤレス通信デバイスを使用して、前記第2のデータを前記第2のRATを介して前記第2のワイヤレス通信デバイスから受信するステップをさらに備える、請求項1に記載の方法。
【請求項３】
前記第1のRATは、ロングタームエボリューション(LTE) RATを含む、請求項1に記載の方法。
【請求項４】
前記第1のTTI中に、前記LTE RATを介して前記制御情報が前記第2のワイヤレス通信デバイスに送信され、
前記第2のACKまたはNACKは、前記第1のRATのタイミング構造に従って前記第2のTTI中に前記第2のワイヤレス通信デバイスに送信される、請求項3に記載の方法。
【請求項５】
前記第1のワイヤレス通信デバイスは基地局であり、前記第2のワイヤレス通信デバイスはユーザ機器であり、前記第2のRATを介して実施される前記ユーザ機器の通信は、前記ユーザ機器からアップリンクデータを受信するステップを含む、請求項1に記載の方法。
【請求項６】
前記第1のワイヤレス通信デバイスは、前記第2のRATに関連付けられているアンテナを含む、請求項1に記載の方法。
【請求項７】
前記第1のワイヤレス通信デバイスは、前記第1のワイヤレス通信デバイスからリモートに位置する前記第2のRATに関連付けられているアンテナと通信している、請求項1に記載の方法。
【請求項８】
ワイヤレス通信の方法であって、
第1のワイヤレス通信デバイスによって、制御情報を第1の無線アクセス技術(RAT)を介して第2のワイヤレス通信デバイスから受信するステップであって、前記制御情報は前記第1のRATおよび第2のRATの制御情報を含み、前記第2のRATのタイミング構造は前記第1のRATのタイミング構造とそろえられる、ステップと、
前記第1のワイヤレス通信デバイスによって、前記第1のRATの第1の送信時間間隔(TTI)中に第1のデータを前記第1のRATを介して前記第2のワイヤレス通信デバイスから受信するステップと、
前記第1のワイヤレス通信デバイスによって、前記第1のTTI中に第2のデータを前記第2のRATを介して前記第2のワイヤレス通信デバイスから受信するステップと、
前記第1のワイヤレス通信デバイスによって、前記第1のRATの第2のTTI中に前記第1のRATを介して前記第2のワイヤレス通信デバイスに第1の肯定応答(ACK)または否定応答(NACK)を送信するステップであって、前記第1のACKまたはNACKは、前記第1のTTI中に前記第1のデータが前記第1のRATを介して前記第2のワイヤレス通信デバイスによって受信されたかどうかを示す、ステップと、
前記第1のワイヤレス通信デバイスによって、前記第1のRATの第2のTTI中に前記第1のRATを介して前記第2のワイヤレス通信デバイスに第2の肯定応答(ACK)または否定応答(NACK)を送信するステップであって、前記第2のACKまたはNACKは、前記第1のTTI中に前記第2のデータが前記第2のRATを介して前記第2のワイヤレス通信デバイスによって受信されたかどうかを示す、ステップと
を備える方法。
【請求項９】
前記第1のRATを介して前記第2のワイヤレス通信デバイスに前記第2のNACKが送信される場合、前記第1のワイヤレス通信デバイスによって、前記第2のデータを前記第2のRATを介して前記第2のワイヤレス通信デバイスから受信するステップをさらに備える、請求項8に記載の方法。
【請求項１０】
前記第1のRATはロングタームエボリューション(LTE) RATを含み、
前記制御情報は、前記第1のTTI中に前記LTE RATを介して前記第1のワイヤレス通信デバイスによって受信され、
前記第2のデータは、前記第1のRATのタイミング構造に従って前記第1のTTI中に前記第2のRATを介して前記第2のワイヤレス通信デバイスから受信される、請求項8に記載の方法。
【請求項１１】
前記第1のワイヤレス通信デバイスはユーザ機器であり、前記第2のワイヤレス通信デバイスは基地局であり、前記第2のデータを前記第2のRATを介して受信する前記ステップは、ダウンリンクデータを前記基地局から受信するステップを含む、請求項8に記載の方法。
【請求項１２】
前記第2のRATを介して前記第2のワイヤレス通信デバイスから前記第2のデータを受信する前記ステップは、前記第2のデータを前記第2のRATに関連付けられている前記第2のワイヤレス通信デバイスのアンテナから受信するステップを含む、請求項8に記載の方法。
【請求項１３】
前記第2のRATを介して前記第2のワイヤレス通信デバイスから前記第2のデータを受信する前記ステップは、前記第2のデータを前記第2のワイヤレス通信デバイスからリモートに位置する前記第2のRATに関連付けられているアンテナから受信するステップを含む、請求項8に記載の方法。
【請求項１４】
制御情報を生成するように構成されたマルチ無線アクセス技術(マルチRAT)モジュールと、
前記マルチRATモジュールと通信する送信機であって、前記生成された制御情報を第1の無線アクセス技術(RAT)を介して第2のワイヤレス通信デバイスに送信するように構成され、前記送信される制御情報は前記第1のRATおよび第2のRATの制御情報を含み、前記第2のRATのタイミング構造は前記第1のRATのタイミング構造とそろえられる、送信機と、
前記マルチRATモジュールと通信する少なくとも1つの受信機であって、
前記第1のRATの第1の送信時間間隔(TTI)中に第1のデータを前記第1のRATを介して前記第2のワイヤレス通信デバイスから受信すること、および、
前記第1のTTI中に前記第2のRATを介して前記第2のワイヤレス通信デバイスから第2のデータを受信することを行うように構成された少なくとも1つの受信機と、
を備え、
前記送信機は、
前記第1のRATの第2のTTI中に前記第2のワイヤレス通信デバイスに前記第1のRATを介して第1の肯定応答(ACK)または否定応答(NACK)を送信することであって、前記第1のACKまたはNACKは、前記第1のTTI中に前記第1のRATを介して送信された前記第1のデータに関連する、送信すること、および
前記第1のRATの前記第2のTTI中に前記第2のワイヤレス通信デバイスに前記第1のRATを介して第2の肯定応答(ACK)または否定応答(NACK)を送信することであって、前記第2のACKまたはNACKは、前記第1のTTI中に前記第2のRATを介して送信された前記第2のデータに関連する、送信することを行うようにさらに構成される、ワイヤレス通信デバイス。
【請求項１５】
前記少なくとも1つの受信機は、前記送信機が前記第1のRATを介して前記第2のワイヤレス通信デバイスに前記第2のNACKを送信する場合、前記第2のデータを前記第2のRATを介して前記第2のワイヤレス通信デバイスから受信するようにさらに構成される、請求項14に記載のデバイス。
【請求項１６】
前記第1のRATはロングタームエボリューション(LTE) RATを含み、
前記送信機は、前記第1のTTI中に前記LTE RATを介して前記第2のワイヤレス通信デバイスに前記制御情報を送信するように構成され、
前記送信機は、前記第1のRATのタイミング構造に従って前記第2のTTI中に前記第2のACKまたは前記NACKを前記第2のワイヤレス通信デバイスに送信するように構成される、請求項14に記載のデバイス。
【請求項１７】
前記ワイヤレス通信デバイスは基地局であり、前記第2のワイヤレス通信デバイスはユーザ機器である、請求項14に記載のデバイス。
【請求項１８】
前記第2のRATに関連付けられているアンテナをさらに備える、請求項14に記載のデバイス。
【請求項１９】
前記マルチRATモジュールは、前記ワイヤレス通信デバイスからリモートに位置する前記第2のRATに関連付けられているアンテナと通信している、請求項14に記載のデバイス。
【請求項２０】
前記少なくとも1つの受信機は、
前記第1のRATの前記第1のTTI中に前記第1のRATを介して前記第2のワイヤレス通信デバイスから前記第1のデータを受信するように構成される第1の受信機と、
前記第1のTTI中に前記第2のRATを介して前記第2のワイヤレス通信デバイスから前記第2のデータを受信するように構成される第2の受信機とを含む、請求項14に記載のデバイス。
【請求項２１】
制御情報を第1の無線アクセス技術(RAT)を介して第2のワイヤレス通信デバイスから受信することであって、前記制御情報は前記第1のRATおよび第2のRATの制御情報を含み、前記第2のRATのタイミング構造は前記第1のRATのタイミング構造とそろえられる、受信すること、
前記第1のRATの第1の送信時間間隔(TTI)中に第1のデータを前記第1のRATを介して前記第2のワイヤレス通信デバイスから受信すること、および
前記第1のTTI中に第2のデータを前記第2のRATを介して前記第2のワイヤレス通信デバイスから受信することを行うように構成された少なくとも1つの受信機と、
前記第1のRATの第2のTTI中に前記第1のRATを介して前記第2のワイヤレス通信デバイスに第1の肯定応答(ACK)または否定応答(NACK)を送信することであって、前記第1のACKまたはNACKは、前記第1のTTI中に前記第1のデータが前記第1のRATを介して前記第2のワイヤレス通信デバイスによって受信されたかどうかを示す、送信すること、および
前記第1のRATの第2のTTI中に前記第1のRATを介して前記第2のワイヤレス通信デバイスに第2の肯定応答(ACK)または否定応答(NACK)を送信することあって、前記第2のACKまたはNACKは、前記第1のTTI中に前記第2のデータが前記第2のRATを介して前記第2のワイヤレス通信デバイスによって受信されたかどうかを示す、送信することを行うように構成された送信機とを備える、ワイヤレス通信デバイス。
【請求項２２】
前記少なくとも1つの受信機は、前記第1のRATを介して前記第2のワイヤレス通信デバイスに前記第2のNACKが送信される場合、前記第2のデータを前記第2のRATを介して前記第2のワイヤレス通信デバイスから受信するようにさらに構成される、請求項21に記載のデバイス。
【請求項２３】
前記ワイヤレス通信デバイスはユーザ機器であり、前記第2のワイヤレス通信デバイスは基地局である、請求項21に記載のデバイス。
【請求項２４】
前記第1のRATはロングタームエボリューション(LTE) RATを含み、
前記受信機は、
前記第1のTTI中に前記LTE RATを介して前記制御情報を受信すること、および
前記第1のRATのタイミング構造に従って前記第1のTTI中に前記第2のRATを介して前記第2のデータを前記第2のワイヤレス通信デバイスから受信することを行うように構成される、請求項21に記載のデバイス。
【請求項２５】
前記少なくとも1つの受信機は、前記第2のデータを前記第2のRATに関連付けられている前記第2のワイヤレス通信デバイスのアンテナから受信するように構成される、請求項21に記載のデバイス。
【請求項２６】
前記少なくとも1つの受信機は、前記第2のデータを前記第2のワイヤレス通信デバイスからリモートに位置する前記第2のRATに関連付けられているアンテナから受信するように構成される、請求項21に記載のデバイス。
【請求項２７】
前記少なくとも1つの受信機は、
前記第1のRATの前記第1のTTI中に前記第1のRATを介して前記第2のワイヤレス通信デバイスから前記第1のデータを受信するように構成された第1の受信機と、
前記第1のTTI中に前記第2のRATを介して前記第2のワイヤレス通信デバイスから前記第2のデータを受信するように構成された第2の受信機とを含む、請求項21に記載のデバイス。
【外国語明細書】
2019083574000001.pdf